(57)【要約】【課題】収納と使用時の際の利便性を高め、かつ接続が堅固な折り畳み式の杖を提供する。【解決手段】二本以上の上パイプと下パイプが一体化する構造によって、中心が直列に接続されてなる折り畳み式杖の構造であり、前記の構造は上パイプ内の底端側に連結軸を具えた嵌合部を、さらに下パイプ内の上端側には連結孔を具えたカバー部を固定して設けてなり、これによって上パイプ、下パイプを一体化する構造の連結軸と連結孔に分解した後にまた直列に接続できるようにする。該上パイプと下パイプは直列接続して杖体となった後に弾性ロープの張力によって固定結合されてなり、それにより一体化する構造の連結軸及び連結孔が固定結合されることにより杖を使用可能な状態とし、収納の際には直接、上パイプ、下パイプを互いに逆方向に引っ張るだけで連結軸と連結孔を分離し、それぞれのパイプを収納に便利な大きさに折り畳むことを可能とする。【選択図】  図３
0003122097.tif 000002
【実用新案登録請求の範囲】
【請求項１】
二本以上の上パイプ、下パイプからなり、さらには一体化する構造によって直列に接合し
て組み合わさってなり、
前記の一体化する構造は、上パイプ、下パイプが接するジョイント箇所に設けられてな
り、さらには上パイプ内の底端側内に固定結合された嵌合部と下パイプ内の上縁側内に固
定結合されてなるカバー部によってなり、
上記の嵌合部とカバー部はそれぞれに設けられた連結軸、連結孔を組み合わせて嵌合さ
れてなることにより、上パイプ、下パイプを連結軸と連結孔に沿って取り外して分離し、
再び連結させ、回転によるパイプの連結が緩くならないようにしてなり、
該上パイプ、下パイプは連結して杖となった後に弾性ロープの張力によって引っ張られ
て固定され、上述の一体化する構造の連結軸と連結孔が固定される際に杖が使用可能な状
態となることを特徴とする折り畳み式杖の改良構造。
【請求項２】
前記嵌合部には同じ中心を共有する固定軸と連結軸があり、
該固定軸と連結軸との間には放射状に広がった肩部が介在してなり、嵌合部の各軸には弾
性ロープを通し入れる通し孔が貫設されてなり、
前記固定軸が上パイプ内孔の下縁側の中に組み合わさり、さらに肩部を上パイプの底端に
粘着して固定することにより、噛み合い歯部が外周面に設けられた連結軸を下パイプの中
に進入させることが可能となり、
前記カバー部は上端に放射状に広がった唇部が設けられ、さらに連結孔が貫設されてな
るカバー軸を有し、カバー軸の内周面には連結軸の歯部の位置に対応する位置に係合歯溝
が刻設されてなり、
該カバー軸は下パイプ内の上縁側の中にと組み合わさることが可能であり、並びに順次
拡径されるコンセント部の下縁の位置の突出加工部に固定して接合することにより、嵌合
部の肩部と相対して、固定させることが可能となり、
上述により唇部と嵌合部にある肩部が接合してなり、
前記連結孔は連結軸の挿入と相互に対応することができ、さらに、連結孔の内周面の歯溝
は連結軸の外周面の歯部に刻設された歯溝と相対することを特徴とする請求項１記載の折
り畳み式杖の改良構造。
【請求項３】
前記嵌合部の固定軸の外周とカバー部のカバー軸の外周にそれぞれ間隔が等しく刻設さ
れてなる縦溝aと縦溝ｂを有していることを特徴とする請求項２記載の折り畳み式杖の改
良構造。
【請求項４】
前記弾性ロープは上パイプ、下パイプの内孔を貫通して設けられ、さらには嵌合部、カ
バー部を貫通してなり、弾性ロープの一端は杖の最上部のパイプ内に、別の端は最下部の
パイプの内に固定して結合されてなることにより、上パイプ、下パイプが連結して杖とな
った後は弾性ロープの張力によって引っ張られ、嵌合部とカバー部の連結軸と連結孔は固
定されてなることを特徴とする請求項１記載の折り畳み式杖の改良構造。
【請求項５】
前記上パイプの下縁の外周には下に向って縮径されたプラグ部、さらに下パイプの上縁
の内孔は上に向って拡径したコンセント部を有してなり、
該プラグ部とコンセント部が対応することによって上パイプ、下パイプが結合し杖とな
ることを特徴とする請求項１記載の折り畳み式杖の改良構造。
【請求項６】
杖の最先端のパイプには使用者が握り持つのに便利なようにハンドグリップが設置され
てなり、杖の底端のパイプの底面には石突が設けられてなることを特徴とする請求項１記
載の折り畳み式杖の改良構造。 
【考案の詳細な説明】
【技術分野】
【０００１】
本考案は、折り畳み式杖に関する。特に、素早く組み立て、取り外しを可能とする折り
畳み式杖の改良構造に関する。
【背景技術】
【０００２】
折り畳み式杖の構造は、少なくとも２本好ましくは３本乃至４本の短尺なパイプを連結
して、その内部に伸縮自在の紐体を挿通し、パイプの上端に紐体の一端を固定し下端に紐
体の他端を固定して紐体の弾性力により複数のパイプを固定結合して１本の長尺な杖とし
て使用するもので、それぞれのパイプの節が折り畳まれた後に、収納に便利な大きさとな
るため、市場では既に広範囲に亘って受け入れられており、そのため関連する業界の研究
と開発の目標とされている（例えば、特許文献１〜７）。
【０００３】
上パイプ、下パイプ（以下、隣接する２本のパイプのうちハンドグリップ側を「上パイ
プ」、石突側を「下パイプ」という）の節（ジョイント）を取り外すことが可能な技術は
、例えば、中華民国公告第５４５１２９号公報（特許文献８）に記載されている「折り畳
み可能な杖の多節構造」があり、これは取り外し構造のカバー部を絶え間なく回転させな
ければならないため、時間がかかり不便である。また、中華民国公告第４５００４２号公
報（特許文献９）に記載されている「取り外し可能な視覚障害者用杖」は、隣り合った上
パイプ、下パイプの弾性を一致させる技術を示している。この技術は、それぞれのパイプ
の節の取り外し、装着が素早くできるため便利ではあるが、全体の構造が複雑なため経済
的利益が低いものとなる。
【０００４】
【特許文献１】特公昭３２−１０６４０号公報
【特許文献２】実開昭６１−７３２１６号公報
【特許文献３】実開平７−１４９１３号公報
【特許文献４】実用新案登録第３０７７９７３号公報
【特許文献５】特開２００１−１７８５１３号公報
【特許文献６】特開２００５−２８７９７７号公報
【特許文献７】特開２００５−２８７９７８号公報
【特許文献８】中華民国公告第５４５１２９号公報
【特許文献９】中華民国公告第４５００４２号公報
【考案の開示】
【考案が解決しようとする課題】
【０００５】
前述したように、公知の構造には以下のような問題点があった。すなわち、鎖によって
カバーするように緊迫して上パイプ、下パイプを直列接続する位置に固定させる杖は取り
外し、または、組み立ての際にパイプを回転させなければならず、時間が掛かり、面倒で
ある。さらに、隣り合った上パイプ、下パイプの弾性を一致させることにより、パイプの
節（ジョイント）の取り外し、装着を素早く便利にする杖は全体の構造が複雑なために経
済的利益が低いものとなってしまう。本考案は、上記構造の問題点を解決した、操作が簡
単、構造が簡素及び接続が堅固等の折り畳み式杖の改良構造を提供することを課題とする
。
【課題を解決するための手段】
【０００６】
上記課題を解決するために、本考案は、折り畳み式杖の改良構造を提供する。  
【０００７】
すなわち、本考案（１）は、二本以上の上パイプ、下パイプからなり、さらには一体化
する構造によって直列に接合して組み合わさってなり、
前記の一体化する構造は、上パイプ、下パイプが接するジョイント箇所に設けられてな
り、さらには上パイプ内の底端側内に固定結合された嵌合部と下パイプ内の上縁側内に固
定結合されてなるカバー部によってなり、
上記の嵌合部とカバー部はそれぞれに設けられた連結軸、連結孔を組み合わせて嵌合さ
れてなることにより、上パイプ、下パイプを連結軸と連結孔に沿って取り外して分離し、
再び連結させ、回転によるパイプの連結が緩くならないようにしてなり、
該上パイプ、下パイプは連結して杖となった後に弾性ロープの張力によって引っ張られ
て固定され、上述の一体化する構造の連結軸と連結孔が固定される際に杖が使用可能な状
態となることを特徴とする折り畳み式杖の改良構造である。
【０００８】
また、本考案（２）は、前記嵌合部には同じ中心を共有する固定軸と連結軸があり、
該固定軸と連結軸との間には放射状に広がった肩部が介在してなり、嵌合部の各軸には弾
性ロープを通し入れる通し孔が貫設されてなり、
前記固定軸が上パイプ内孔の下縁側の中に組み合わさり、さらに肩部を上パイプの底端に
粘着して固定することにより、噛み合い歯部が外周面に設けられた連結軸を下パイプの中
に進入させることが可能となり、
前記カバー部は上端に放射状に広がった唇部が設けられ、さらに連結孔が貫設されてな
るカバー軸を有し、カバー軸の内周面には連結軸の歯部の位置に対応する位置に係合歯溝
が刻設されてなり、
該カバー軸は下パイプ内の上縁側の中にと組み合わさることが可能であり、並びに順次
拡径されるコンセント部の下縁の位置の突出加工部に固定して接合することにより、嵌合
部の肩部と相対して、固定させることが可能となり、
上述により唇部と嵌合部にある肩部が接合してなり、
前記連結孔は連結軸の挿入と相互に対応することができ、さらに、連結孔の内周面の歯溝
は連結軸の外周面の歯部に刻設された歯溝と相対することを特徴とする上記（１）の折り
畳み式杖の改良構造である。
【０００９】
また、本考案（３）は、前記嵌合部の固定軸の外周とカバー部のカバー軸の外周にそれ
ぞれ間隔が等しく刻設されてなる縦溝aと縦溝ｂを有していることを特徴とする上記（２
）の折り畳み式杖の改良構造である。
【００１０】
また、本考案（４）は、前記弾性ロープは上パイプ、下パイプの内孔を貫通して設けら
れ、さらには嵌合部、カバー部を貫通してなり、弾性ロープの一端は杖の最上部のパイプ
内に、別の端は最下部のパイプの内に固定して結合されてなることにより、上パイプ、下
パイプが連結して杖となった後は弾性ロープの張力によって引っ張られ、嵌合部とカバー
部の連結軸と連結孔は固定されてなることを特徴とする上記（１）の折り畳み式杖の改良
構造である。
【００１１】
また、本考案（５）は、前記上パイプの下縁の外周には下に向って縮径されたプラグ部
、さらに下パイプの上縁の内孔は上に向って拡径したコンセント部を有してなり、
該プラグ部とコンセント部が対応することによって上パイプ、下パイプが結合し杖とな
ることを特徴とする上記（１）の折り畳み式杖の改良構造である。
【００１２】
また、本考案（６）は、杖の最先端のパイプには使用者が握り持つのに便利なようにハ
ンドグリップが設置されてなり、杖の底端のパイプの底面には石突が設けられてなること
を特徴とする上記（１）の折り畳み式杖の改良構造である。
【考案の効果】
【００１３】
上記のように、本考案によれば、複数のパイプによってなり、上パイプ、下パイプは相
互に対応して直列接続して杖となるため、組み立ての際の時間を短縮し、さらに上パイプ
、下パイプ間を嵌合部とカバー部によって堅固に接続し、組み立て後に弾性ロープの張力
によって杖を固定することで、杖の折り畳み収納時と組み立て使用時の利便性を高めるこ
とができる。また、上パイプ、下パイプのプラグ部とコンセント部を相互に対応して連結
させた場合に、回転による両パイプの連結が緩くならない。
【考案を実施するための最良の形態】
【００１４】
本考案の好適な実施例を図を参照して説明する。本考案の杖は、図１、図２に示すよう
に、主に、二本以上、好ましくは３〜４本のパイプによってなり、そのうち上パイプ１０
の下部の縁側外周には下方に向けて順次縮径されるプラグ部１１が設けられ、下パイプ１
００の上部の縁側内部の孔は上方に向って順次拡径されるコンセント部１２が設けられて
いる。該上パイプ、下パイプのプラグ部１１とコンセント部１２は相互に対応してなり、
さらに直列に接続して杖となる。
【００１５】
前記杖の上パイプ１０の頂上部には使用者が握るのに便利なようにハンドグリップ１３
が設けられてなり、杖の下部のパイプの底面には石突１４が設けられてなる。該石突１４
は地面と接触してなることにより、杖を安定させる功能を提供する。さらに、石突１４は
実際の路面の状況によって取り替えることが可能であり、図１に示された石突１４は、一
般の平面の道路において使用されるものであり、登山時に杖を使用する時には石突１４を
チップやバスケット状のものと取り替えることができ、実用的である。
【００１６】
図３，４，５に示すように、前記上パイプ１０、下パイプ１００が接するジョイント箇
所には、それぞれ嵌合部２０及びカバー部３０により一体化する構造が設けられている。
前記の一体化する構造は、上パイプ１０内の底端側内に固定結合された嵌合部と下パイプ
内の上縁側内に固定結合されてなるカバー部によってなる。
【００１７】
該嵌合部２０は同じ中心を共有する固定軸２１と連結軸２２とからなり、固定軸２１と
連結軸２２との間には放射状に広がった肩部２３が介在している。さらに、嵌合部２０の
各軸はゴム紐等、伸縮自在な紐体である弾性ロープの通し孔２４が貫設されている。固定
軸２１は上パイプ１０内の下縁側の中に組み合わせることができ、さらに肩部２３によっ
て上パイプ１０の底端と接合して固定される。該固定軸２１の外周には等しく刻設された
縦溝a２１０があり、さらに連結軸２２の外周面には下パイプ１００の中に進入させて噛
合させるために若干の数の噛み合い歯がその稜線の方向がパイプの軸方向になるように設
けられた歯部２２０が設けられてなる。
【００１８】
前記固定軸２１が上パイプ１０内の下縁側の中に組み合わさり、さらに肩部２３を上パ
イプ１０の底端に粘着して固定することにより、歯部２２０が設けられた連結軸２１を下
パイプ１００の中に進入させることが可能となる。
【００１９】
前記カバー部３０は上端に放射状に広がってなる唇部３２が設置されたカバー軸３１を
有し、さらにカバー軸３１には連結孔３３が貫設されることにより構成されてなる。該カ
バー軸３１は下パイプ１００内の上縁側と組み合わさることが可能であり、並びに唇部３
２をコンセント部１２の下縁の位置の突出加工部に固定して接合することにより、嵌合部
２０の肩部２３と相対して、固定させるようにする。さらに、カバー軸３１の外周には縦
溝b３１０が等しく刻設されてなり、連結孔３３が連結軸２２と対応して挿し入れるよう
にする。
【００２０】
図４に示すように、カバー軸の内周面には連結軸２２の外周面の歯部２２０の位置に対
応する位置に係合歯溝３３０が溝の方向がパイプの軸方向になるように刻設されてなり、
これにより連結軸２２と連結孔３３を組み合わせることによってスプライン式に嵌合部２
０及びカバー部３０を嵌合できるようにし、上パイプ１０、下パイプ１００が直列接続し
た状態時に左右に回転することがなくなり、加えて上パイプ１０、下パイプ１００をパイ
プの軸の向きに沿って取り外し分離できる。
【００２１】
図５に示すように、該カバー部３０は下パイプ１００の上縁部側内と組み合わせること
ができ、並びに唇部３２をコンセント部１２の下縁の位置のパイプの中心軸方向への突出
加工部１２０に固定して接合することにより、嵌合部２０の肩部２３と相対するようにす
る。さらに、連結孔３３が連結軸２２と対応して挿入されるようにする。
【００２２】
弾性ロープ４０は上パイプ１０、下パイプ１００内に設けられ、さらに、嵌合部２０の
通し孔２４とカバー部３０の連結孔３３を貫通してなる。また、弾性ロープ４０の一端は
杖の最上部のパイプ内に、もう一端は杖の最下部のパイプ内にそれぞれ固定されてなる。
これにより、上パイプ１０、下パイプ１００が直列接続して杖となった後に弾性ロープ４
０の張力により嵌合部２０の連結軸２２とカバー部３０の連結孔３３を固定することがで
き、杖を使用可能な状態とすることができる。
【００２３】
図３、４、５に示された嵌合部２０とカバー部３０は大量生産及び製造が可能であり、
上パイプ１０、下パイプ１００の中に設置するのが簡単なため、非常に便利である。この
構造は中華民国公告第４５００４２号の特許案よりも経済的であり、さらに比較しても、
本考案の折り畳み式杖の改良構造の方が接続が堅固である。
【００２４】
本考案の実施例の特徴とするところは、図６に示すように、本考案の折り畳み式杖を使
用しない際には、弾性ロープ４０の張力に逆らって上パイプ１０、下パイプ１００を直接
引っ張るだけで、連結軸２２と連結孔３３の一体化する構造をパイプの軸に沿って分離さ
せることができ、さらに、上パイプ１０、下パイプ１００は折りたたまれて、収納に便利
な大きさとなり、留め具５０によって固定される。上記に示すように、直接、互いに逆方
向に引っ張ることによって上、下パイプを取り外し分離させる方法は中華民国公告第５４
５１２９号の特許案よりも迅速で便利であり、利便性を高めたものである。  
【００２５】
本考案では、好ましい実施例を上述の通り開示したが、これらは決して本考案に限定す
るものでなく、当該技術を熟知する者なら誰でも本考案の精神と領域を脱しない範囲内で
各種の変更や工夫を加えることができ、従って、本考案の保護範囲は実用新案登録請求の
範囲で規定した内容を基準とする。
【産業上の利用可能性】
【００２６】
上述のように、本考案は、操作が簡単、構造が簡素及び接続が堅固等の利点を具えて
なることにより、商品にますますの市場競争力を具えさせてなる。
【図面の簡単な説明】
【００２７】
【図１】本考案の杖を組み立てた状態の立体斜視図である。
【図２】本考案の杖の内部の弾性ロープの相対位置の透視斜視図である。
【図３】本考案の杖の上パイプと下パイプの接続部の分解斜視図である。
【図４】本考案の杖の嵌合部とカバー部の一体化する構造の分解斜視図である。
【図５】本考案の杖の組み立て時のジョイント部の部分断面斜視図である。
【図６】本考案の杖の折り畳み収納の状態の立体斜視図である。
【符号の説明】
【００２８】
１０  上パイプ
１００  下パイプ
１１  プラグ部
１２  コンセント部
１２０  突出加工部
１３  ハンドグリップ
１４  石突
２０  嵌合部
２１  固定軸
２１０  縦溝ａ
２２  連結軸
２２０  歯部
２３  肩部
２４  通し孔
３０  カバー部
３１  カバー軸
３１０  縦溝ｂ
３２  唇部
３３  連結孔
３３０  歯溝
４０  弾性ロープ
５０  留め具
【図１】
0003122097.tif 000003
【図２】
0003122097.tif 000004
【図３】
0003122097.tif 000005
【図４】
0003122097.tif 000006
【図５】
0003122097.tif 000007
【図６】
0003122097.tif 000008